(57)【要約】【課題】汎用性のある平滑面で形成された金型を用いて、ころの接触面の成形に伴う保持器の柱部での反りの発生を簡単な設計で防止することである。【解決手段】柱部７の内径面に、接触面をプレス加工で成形する前に、円周方向へ延びる凹溝９を形成することにより、接触面の成形による内径面側の断面減少に伴って柱部７の長手方向に逃げる余肉を凹溝９の部分で吸収し、汎用性のある平滑面で形成された金型を用いて、円錐ころの接触面の成形に伴う保持器１の柱部７での反りの発生を簡単な設計で防止できるようにした。【選択図】図２
2006132667.tif 000002
【特許請求の範囲】
【請求項１】
ころが収納されるポケットを区画する柱部の内径面側または外径面側に、前記ころの転動面と接触する接触面をプレス加工で成形した金属製のころ軸受用保持器において、前記接触面が成形される柱部の内径面側または外径面側に、この接触面が成形される際に柱部の長手方向へ逃げる余肉を吸収する余肉吸収部を設けたことを特徴とするころ軸受用保持器。
【請求項２】
前記余肉吸収部を、前記接触面がプレス加工で成形される前に形成され、前記柱部の円周方向へ延びる少なくとも１本の凹溝とした請求項１に記載のころ軸受用保持器。
【請求項３】
前記凹溝の深さを、前記柱部の肉厚の２〜２５％とした請求項２に記載のころ軸受用保持器。
【請求項４】
前記凹溝の合計幅を、前記柱部の長さの１〜１０％とした請求項２または３に記載のころ軸受用保持器。
【請求項５】
前記ころが円錐ころであり、この円錐ころの転動面と接触する前記接触面が、前記柱部の内径面側に成形されたものである請求項１乃至４のいずれかに記載のころ軸受用保持器。
【請求項６】
内輪と外輪の間に複数のころを保持器で保持したころ軸受において、前記保持器に請求項１乃至５のいずれかに記載のころ軸受用保持器を用いたことを特徴とするころ軸受。
【発明の詳細な説明】
【技術分野】
【０００１】
本発明は、ころ軸受用保持器およびころ軸受に関する。
【背景技術】
【０００２】
内輪と外輪の間で複数のころを保持するころ軸受用保持器には、鋼板等の金属板から形成される金属製のものがあり、これらの金属製保持器は、円筒ころ軸受用のものではプレス加工または溶接で形成され、円錐ころ軸受用のものではプレス加工で形成されている。プレス加工で形成される金属製保持器は、カップ状に深絞りされたのち、その側壁部にポケット抜きでころを収納するポケットが形成され、溶接で形成される金属製保持器は、予めポケット抜きした帯板を環状に溶接することが多い。
【０００３】
これらの硬い金属製保持器では、ポケットを区画する柱部の内径面側または外径面側に、ころの転動面と接触する平滑な接触面をプレス加工で成形し、ころの転動面に傷が付かないようにしている。円錐ころ軸受用のものでは、この接触面は柱部の内径面側に成形される。
【０００４】
従来、前記接触面をプレス加工で成形する際には、例えば、図３（ａ）、（ｂ）に円錐ころ軸受用のものについて示すように、保持器１のポケット５を区画する各柱部７に対して、接触面８を成形する内径面側にＶ字型の金型Ａを押し当て、その反対の外径面側に円弧状またはフラットな平滑面で形成された金型Ｂを押し当ててプレス加工している。このプレス加工では、柱部７の内径面側の断面減少に伴う余肉が柱部７の長手方向に逃げるので、図４に示すように、柱部７の内径面側が伸びて内径側に凸の反りが発生する。柱部の外径面側に接触面を成形する場合は、柱部の外径面側が伸びて外径側に凸の反りが発生する。
【０００５】
なお、円錐ころ軸受用保持器は、各柱部に接触面が成形されたのち、内輪および円錐ころとアセンブリするために底拡げ工程で拡径され、さらに加締め工程で元の寸法に縮径されるが、一度柱部に発生した反りはこれらの工程では矯正することができない。
【０００６】
上述した柱部での反りを防止する観点とは異なるが、前記接触面の成形に伴う余肉の長手方向への逃げに起因する柱部の伸びを防止する手段として、接触面を成形する側と反対側の面に押し当てられる平滑面で形成された金型の幅を柱部の幅よりも狭くし、接触面の成形で生じる余肉をこの反対側の面に膨出させて、柱部の伸びを防止するようにしたものがある（特許文献１参照）。
【０００７】
【特許文献１】特開２０００−５５０５７号公報（第２−３頁、第３図）
【発明の開示】
【発明が解決しようとする課題】
【０００８】
特許文献１に記載された柱部の伸び防止手段は反りの発生も防止できるが、接触面の成形に伴う断面減少量と膨出部の断面積とを等しくバランスさせる必要がある。このため、膨出部を生じさせるための平滑面で形成された金型の幅を精度よく設計する必要がある。また、接触面の成形に伴う断面減少量は柱部の寸法等によって異なるので、これらの断面減少量に応じて平滑面で形成された金型の幅を変える必要があり、金型の汎用性が損なわれる問題もある。
【０００９】
そこで、本発明の課題は、汎用性のある平滑面で形成された金型を用いて、ころの接触面の成形に伴う保持器の柱部での反りの発生を簡単な設計で防止することである。
【課題を解決するための手段】
【００１０】
上記の課題を解決するために、本発明のころ軸受用保持器は、ころが収納されるポケットを区画する柱部の内径面側または外径面側に、前記ころの転動面と接触する接触面をプレス加工で成形した金属製のころ軸受用保持器において、前記接触面が成形される柱部の内径面側または外径面側に、この接触面が成形される際に柱部の長手方向へ逃げる余肉を吸収する余肉吸収部を設けた構成を採用した。
【００１１】
すなわち、接触面が成形される柱部の内径面側または外径面側に、この接触面が成形される際に柱部の長手方向へ逃げる余肉を吸収する余肉吸収部を設けることにより、汎用性のある平滑面で形成された金型を用いて、ころの接触面の成形に伴う保持器の柱部での反りの発生を防止できるようにした。
【００１２】
前記余肉吸収部を、前記接触面がプレス加工で成形される前に形成され、前記柱部の円周方向へ延びる少なくとも１本の凹溝とすることにより、この凹溝の深さや幅は、余肉を吸収できるように多少の余裕を持たせた寸法とすればよく、必ずしも余肉の量と等しくバランスさせる必要はないので、簡単な設計で反りの発生を防止することができる。
【００１３】
前記凹溝の深さは、前記柱部の肉厚の２〜２５％とするのが望ましい。凹溝の深さが柱部の肉厚の２％未満では余肉を吸収する効果が少なく、２５％を超えると柱部の強度が低下するからである。
【００１４】
前記凹溝の合計幅は、前記柱部の長さの１〜１０％とするのが望ましい。凹溝の合計幅が柱部の長さの１％未満では余肉十分に吸収できず、余肉を吸収するためには柱部の長さの１０％以内で十分であるからである。
【００１５】
上述した各ころ軸受用保持器は、前記ころが円錐ころであり、この円錐ころの転動面と接触する前記接触面が、前記柱部の内径面側に成形された円錐ころ軸受用のものとすることができる。
【００１６】
また、本発明のころ軸受は、内輪と外輪の間に複数のころを保持器で保持したころ軸受において、前記保持器に上述したいずれかのころ軸受用保持器を用いた構成を採用した。
【発明の効果】
【００１７】
本発明のころ軸受用保持器は、接触面が成形される柱部の内径面側または外径面側に、この接触面が成形される際に柱部の長手方向へ逃げる余肉を吸収する余肉吸収部を設けたので、汎用性のある平滑面で形成された金型を用いて、ころの接触面の成形に伴う柱部での反りの発生を防止することができる。
【００１８】
前記余肉吸収部を、接触面がプレス加工で成形される前に形成され、柱部の円周方向へ延びる少なくとも１本の凹溝とすることにより、簡単な設計で反りの発生を防止することができる。
【発明を実施するための最良の形態】
【００１９】
以下、図面に基づき、本発明の実施形態を説明する。図１は、本発明に係るころ軸受用保持器１を用いた円錐ころ軸受を示す。このころ軸受用保持器１は鋼板からプレス加工で形成された金属製のものであり、円錐筒部に外輪２と内輪３の間に配列された円錐ころ４を保持するポケット５が設けられ、円錐ころ４の小径端側に鍔６が設けられている。また、ポケット５を区画する柱部７の内径面側には、円錐ころ４の転動面と接触する平滑な接触面８がプレス加工で成形され、柱部７の内径面には、後述する凹溝９が接触面８の成形に伴う余肉で狭められた溝痕９ａが残存している。
【００２０】
図２（ａ）、（ｂ）は、前記接触面８を成形する前の保持器１を示す。この接触面８の成形前の柱部７の中央部内径面には、円周方向へ延びる１本の凹溝９が形成されている。この凹溝９は切削加工によって形成されており、その深さは柱部７の肉厚の２〜２５％、幅は柱部７の長さの１〜１０％とされている。
【００２１】
前記凹溝９は、図３（ａ）、（ｂ）に示した、Ｖ字型の金型Ａと平滑面で形成された金型Ｂを用いた接触面８の成形に伴って柱部７の長手方向に逃げる余肉を吸収して、柱部７での反りの発生を防止し、図１に示したように、柱部７の真直度を確保して、幅の狭まった溝痕９ａとして残存する。
【００２２】
上述した実施形態では、円錐ころ軸受用の保持器とし、円錐ころの転動面と接触する接触面を柱部の内径面側に成形したが、本発明に係るころ軸受用保持器は、円筒ころ軸受等の他のころ軸受用にも採用することができ、凹溝は柱部の接触面と同じ側に形成されたものであればよい。
【００２３】
また、上述した実施形態では、柱部の中央部内径面に１本の凹溝を形成したが、この凹溝は柱部の長手方向に分散させて複数本形成してもよい。このように複数本の凹溝を形成する場合は、その合計幅を柱部の長さの１〜１０％とするとよい。
【図面の簡単な説明】
【００２４】
【図１】本発明に係る保持器を用いた円錐ころ軸受を示す縦断面図
【図２】ａは図１の保持器が接触面を形成される前の状態を示す縦断面図、ｂはａの内径面側からの平面図
【図３】ａは保持器の柱部に接触面を成形する方法を説明する概略縦断面図、ｂはａのIIIb−IIIb線に沿った断面図
【図４】図３に示した接触面の成形で従来の柱部に発生する反りを示す縦断面図
【符号の説明】
【００２５】
１  保持器
２  外輪
３  内輪
４  円錐ころ
５  ポケット
６  鍔
７  柱部
８  接触面
９  凹溝
９ａ  溝痕
【図１】
2006132667.tif 000003
【図２】
2006132667.tif 000004
【図３】
2006132667.tif 000005
【図４】
2006132667.tif 000006